(57)【要約】【課題】  半身浴、全身浴の何れの入浴スタイルにも対応できるだけではなく、半身浴から立ち上がるときや浴槽への出入の際に、この種の動作の補助として使用できるようにする。【解決手段】  浴槽１の腰掛け部１ａに座る半身浴時と深底部１ｂに座る全身浴時の何れの入浴時にも把持が可能になるよう浴槽１の長手方向の内側面１ｃに、内側面１ｃから離して横向きに取り付ける。長手方向の略中央部３を頂点に、浴槽１の長手方向の内側面１ｃを正面に見て略への字形に屈曲形成する。腰掛け部１ａ側の端部２ａの上面に、手の平をつくための手の平つき部４を、浴槽１の長手方向の内側面１ｃを正面に見て略水平面状に形成する。【選択図】      図１
2008168043.tif 000002
【特許請求の範囲】
【請求項１】
浴槽の腰掛け部に座る半身浴時と深底部に座る全身浴時の何れの入浴時にも把持が可能になるよう浴槽の長手方向の内側面に、内側面から離されて横向きに取り付けられる浴槽用のグリップであって、長手方向の略中央部を頂点に、浴槽の長手方向の内側面を正面に見て略への字形に屈曲形成され、上記の腰掛け部側の端部の上面に、手の平をつくための手の平つき部が、浴槽の長手方向の内側面を正面に見て略水平面状に形成されていることを特徴とする浴槽用のグリップ。
【請求項２】
請求項１記載の浴槽用のグリップであって、略中央部から腰掛け部側の端部までの部分の幅が、略中央部から深底部側の端部までの部分の幅より大きく形成されると共に、両部分の上面が平面状に形成されていることを特徴とする浴槽用のグリップ。
【請求項３】
請求項２記載の浴槽用のグリップであって、略中央部から腰掛け部側の端部までの部分の厚みが、浴槽の内側面の側を厚くし、浴槽の内方側が薄くなるよう形成されていることを特徴とする浴槽用のグリップ。
【請求項４】
請求項１乃至３の何れかに記載の浴槽用のグリップであって、手の平つき部に水切り用の溝が形成されていることを特徴とする浴槽用のグリップ。
【請求項５】
請求項１乃至４の何れかに記載の浴槽用のグリップであって、下面に手掛かり用の凹みが長手方向に延びて形成されていることを特徴とする浴槽用のグリップ。
【請求項６】
請求項１乃至５の何れかに記載の浴槽用のグリップであって、腰掛け部側の端部の内側面に、手掛かり用の凹みが形成されていることを特徴とする浴槽用のグリップ。
【発明の詳細な説明】
【技術分野】
【０００１】
本発明は浴槽用のグリップに関し、更に詳しくは半身浴用の腰掛け部を備えている浴槽に取り付けて使用する浴槽用のグリップに関するものである。
【背景技術】
【０００２】
従来この種のグリップとしては、例えば浴槽の長手方向に沿った側面のアームレストの位置に、半身浴及び全身浴の何れの入浴形態においても把持が可能になるよう設けられているものがある（例えば特許文献１、２参照）。
【０００３】
ところでこの種のグリップは、使い勝手が良くなるよう、半身浴時の立ち座り動作や、浴槽への出入動作を補助できるよう形成されているのが望ましい。
しかるに特許文献１等に記載の従来品の場合は、形状が例えば円弧状に形成され、半身浴用の腰掛け部の側を高く、全身浴用の深底部の側を低くして取り付けられていた。
従って従来品は、半身浴及び全身浴の何れの入浴形態でも使用できる反面、これによると、例えば半身浴用の姿勢から立ち上がるときや、浴槽への出入時に手をついたり把持すると、円弧状の上面で手が滑り、その結果この種の動作の補助に不向きで、使い勝手が悪い、という問題点があった。
【特許文献１】特開２００６−１３０１３６号公報
【特許文献２】特開２００６−２３８９４２号公報
【発明の開示】
【発明が解決しようとする課題】
【０００４】
本発明は、このような従来品の問題点に鑑み、提案されたものである。
従って本発明の解決しようとする技術的課題は、半身浴、全身浴の何れの入浴スタイルにも対応できるだけではなく、半身浴から立ち上がるときや浴槽への出入の際に、この種の動作の補助として使用できるよう形成した浴槽用のグリップを提供することにある。
【課題を解決するための手段】
【０００５】
本発明は、上記の課題を解決するため、次のような技術的手段を採る。
即ち本発明は、図１等に示されるように、浴槽１の腰掛け部１ａに座る半身浴時と深底部１ｂに座る全身浴時の何れの入浴時にも把持が可能になるよう浴槽１の長手方向の内側面１ｃに、内側面１ｃから離されて横向きに取り付けられる浴槽１用のグリップであって、長手方向の略中央部３を頂点に、浴槽１の長手方向の内側面１ｃを正面に見て略への字形に屈曲形成され、上記の腰掛け部１ａ側の端部２ａの上面に、手の平をつくための手の平つき部４が、浴槽１の長手方向の内側面１ｃを正面に見て略水平面状に形成されていることを特徴とする（請求項１）。
【０００６】
本発明品は、略中央部３を介して折れ曲がり状に形成されているのであれば、略中央部３から各端部２ａ、２ｂまでの長さ、及び曲げ角度は任意である。また手の平つき部４は、半身浴の姿勢から体重をかけて立ち上がるとき、手を滑らすことがない状態であれば良く、完全な水平面形状に形成される場合には限られない。またこの手の平つき部４は、通常、平面状に形成されるが、例えば手の平と馴染む凸段差を有して形成されているのでも良い。なおこの手の平つき部４は、通常、成人男性の手の平を支持できる大きさ（例えば幅が８０ｍｍ程度）に形成される。
【０００７】
而して本発明は、図４等に示されるように、略中央部３から腰掛け部１ａ側の端部２ａまでの部分５の幅Ｄ１が、略中央部３から深底部１ｂ側の端部２ｂまでの部分６の幅Ｄ２より大きく形成されていると共に、両部分５、６の上面が平面状に形成されているのが好ましい（請求項２）。
なぜならこれによると、略中央部３から腰掛け部１ａ側の端部２ａまでの部分５に手や腕を載せ、よりゆったりとした姿勢で快適に半身浴でき、また全身浴時も本発明品をアームレストとして利用できるからである。
【０００８】
またこの本発明品は、略中央部３から腰掛け部１ａ側の端部２ａまでの部分５の厚みが、図６Ｂに示されるように、浴槽１の内側面１ｃの側を厚くし、浴槽１の内方側が薄くなるよう形成されているのが好ましい（請求項３）。
なぜならこれによると、手指を巻き込んで握り易く、力を入れ易くなるからである。
【０００９】
また本発明は、図７に示されるように、手の平つき部４に水切り用の溝８が形成されているのが好ましい（請求項４）。
なぜならこれによると、手の平つき部４の乾燥を早め、手の滑り防止に役立つからである。またこの場合は、手と溝８との間で摩擦が生じるため、この点でも手の滑りを防止でき、安全に入浴することができるからである。
【００１０】
また本発明は、図８Ａに示されるように、下面に手掛かり用の凹み９が長手方向に延びて形成されているのが好ましい（請求項５）。
なぜならこれによると、凹み９に手指を係合させて把持し易くなるからである。
【００１１】
また本発明は、図８Ｂに示されるように、腰掛け部１ａ側の端部２ａの内側面１０に、手掛かり用の凹み９が形成されているのが好ましい（請求項６）。
なぜならこれによると、半身浴の姿勢から立ち上がるとき、上記の凹み９に手指を掛けて起き上がることができ、一層、使い勝手が良くなるからである。
【発明の効果】
【００１２】
本発明のグリップは、このように長手方向の略中央部を頂点に、浴槽の長手方向の内側面を正面に見て略への字形に屈曲形成され、上記の腰掛け部側の端部の上面に、手の平をつくための手の平つき部が、浴槽の長手方向の内側面を正面に見て略水平面状に形成されているものである。
従って本発明の場合は、半身浴、全身浴の何れの入浴形態においても使用できるだけではなく、浴槽への出入の際に、頂点部分を把持して身体の支えや、体重の移動に利用できるから、これによれば、浴槽への出入を容易化できる。
また本発明は、半身浴の姿勢から立ち上がるとき、手の平つき部に手の平をついて体重をかけることができる。従ってこれによれば、半身浴からの立ち上がり動作を補助することができる。
また本発明品は、従来、浴槽のフランジ部が担っていた手をつくスペースの役割を果たすものである。従ってこれによれば、浴槽のフランジ部の幅を狭めることができ、浴槽の内寸を拡げることができる。
【発明を実施するための最良の形態】
【００１３】
以下、本発明を実施するための最良の形態を説明する。
本発明は、図１等に示されるように、浴槽１の腰掛け部１ａに座る半身浴時と、深底部１ｂに座る全身浴時の何れの入浴時にも把持が可能になるよう、浴槽１の長手方向の内側面１ｃに、この内側面１ｃから離されて横向きに取り付けられる浴槽１用のグリップである。本発明品の長さ（取り付け時の水平方向（横方向）の長さ）は、例えば４００ｍｍ以上に選定されている。また本発明品は、浴槽１の内側面１ｃとの間に、３２〜４０ｍｍ程度の隙間Ｓ（図３、図４参照）ができるよう、端部２ａ、２ｂが曲げられている。
【００１４】
また本発明品は、長手方向の略中央部３を頂点に、浴槽１の長手方向の内側面１ｃを正面に見て略への字形に屈曲形成されている。そして本発明は、上記の腰掛け部１ａ側の端部２ａの上面に、手の平をつくための手の平つき部４が、浴槽１の長手方向の内側面１ｃを正面に見て略水平面状に形成されている。この手の平つき部４は、成人男性の手の平を支持できるよう、この実施形態では幅が約８０ｍｍに選定されている。
【００１５】
またこの実施形態の本発明は、図４等に示されるように、略中央部３の頂点から腰掛け部１ａ側の端部２ａまでの部分５の幅Ｄ１が、略中央部３から深底部１ｂ側の端部２ｂまでの部分６の幅Ｄ２より大きく形成されていると共に、両部分５、６の上面が平面状に形成されている。また本発明品は、図５、図６に示されるように、腰掛け部１ａ側の端部２ａから深底部１ｂ側の端部２ｂにわたって、厚みが深底部１ｂ側の端部２ｂに至るに連れて徐々に増大する状態に形成されている。更にこの実施形態の本発明品の場合、略中央部３から腰掛け部１ａ側の端部２ａまでの部分５の厚みが、図６Ｂに示されるように、手指を巻き込んで握り易くなるよう、浴槽１の内側面１ｃの側を厚くし、浴槽１の内方側が薄くなるよう形成されている。
【００１６】
次に本発明品の使用例を、図１Ｂ、図９〜図１２に従って説明する。
本発明品は、略中央部３から腰掛け部１ａ側の端部２ａまでの部分５が幅広状に且つ上面が平面状に形成されているから、例えば図９に示されるように、半身浴時は、この部分５に手を置いてハンドレスト、アームレストとして使用する。
【００１７】
而して浴槽１内で体勢を移動する時は、例えば図１０に示されるように、略中央部３から腰掛け部１ａ側の端部２ａまでの部分５を把持し、また半身浴の姿勢から立ち上がるときは、図１１に示されるように、腰掛け部１ａ側の端部２ａまでの部分５を把持し、身体を引き起こして行う。そして入浴者７は、図１Ｂに示されるように、手の平つき部４に手の平をつき、この手の平つき部４に体重をかけて立ち上がる（図１２参照）。
また入浴者７は、浴槽１に入るときや浴槽１から出るとき、略中央部３を把持して身体を支えるのに使用する。
なお本発明は、腰掛け部１ａ側の端部２ａから深底部１ｂ側の端部２ｂに至るに連れて厚みが徐々に増大している。従ってこれによれば、浴槽１内を移動するときに手が馴染み易くなり、手を離さずに安定した姿勢で移動することができる。
【００１８】
以上の処において、本発明品は、図９等に示されるように、腕を水平に置いて休むことができるよう、略中央部３から腰掛け部１ａ側の端部２ａまでの部分５を水平にして取り付けられるのでも良い。
また本発明は、例えば図７に示されるように、手の平つき部４の乾燥を早めることができるよう、手の平つき部４に水切り用の溝８が形成されているのでも良い。この実施形態の場合、溝８は、浴槽１の内方に向かって下り勾配に、且つ縦断面波形状に複数形成されている。
【００１９】
また本発明は、図８Ａに示されるように、下面に手掛かり用の凹み９が長手方向に延びて形成されているのでも良い。この手掛かり用の凹み９は、図７Ｂ、図８Ｂに示されるように、腰掛け部１ａ側の端部２ａの内側面１０に形成されているのでも良い。凹み９が内側面１０と下面の両方に形成される場合は、連通状に形成されるのでも、或いは夫々独立状に形成されるのでも良い。
【図面の簡単な説明】
【００２０】
【図１】本発明のグリップの好適な一実施形態を示し、Ａは取り付け時の浴槽の断面図、Ｂは使用例を示す要部平面図である。
【図２】取り付け時の浴槽の要部斜視図である。
【図３】図２のＩＩＩ−ＩＩＩ線における要部断面図である。
【図４】取り付け時の要部平面図である。
【図５】同上グリップの正面図である。
【図６】Ａは図５のＡ−Ａ線における断面図、Ｂは図５のＢ−Ｂ線における断面図、Ｃは図５のＣ−Ｃ線における断面図である。
【図７】同上グリップの他の実施形態を示し、Ａは要部平面図、ＢはＡのＢ−Ｂ線断面図である。
【図８】Ａは図７ＡのＶＩＩＩＡ−ＶＩＩＩＡ線における拡大断面図、Ｂは図７ＡのＶＩＩＩＢ−ＶＩＩＩＢ線における断面図である。
【図９】同上グリップの使用状態を説明するための概略正面図である。
【図１０】同上グリップの使用状態を説明するための要部平面図である。
【図１１】同上グリップの使用状態を説明するための概略正面図である。
【図１２】同上グリップの使用状態を説明するための概略正面図である。
【符号の説明】
【００２１】
１      浴槽
１ａ    腰掛け部
１ｂ    深底部
１ｃ    内側面
２ａ    腰掛け部側の端部
２ｂ    深底部側の端部
３      略中央部
４      手の平つき部
【図１】
2008168043.tif 000003
【図２】
2008168043.tif 000004
【図３】
2008168043.tif 000005
【図４】
2008168043.tif 000006
【図５】
2008168043.tif 000007
【図６】
2008168043.tif 000008
【図７】
2008168043.tif 000009
【図８】
2008168043.tif 000010
【図９】
2008168043.tif 000011
【図１０】
2008168043.tif 000012
【図１１】
2008168043.tif 000013
【図１２】
2008168043.tif 000014